【手続補正書】
【提出日】平成15年7月8日(2003.7.8)
【手続補正１】
【補正対象書類名】明細書
【補正対象項目名】特許請求の範囲
【補正方法】変更
【補正の内容】
【特許請求の範囲】
【請求項１】
ポンプ吸水側を吸水槽内に、吐出側を吐出槽内に設置した先行待機形立軸ポンプにおいて、
ポンプ吐出弁の前側又は後側に設けた空気抜き孔と、
一端がこの空気抜き孔に接続され、他端が前記吐出槽の最高水位よりも上部で大気と連通しており、揚水後の待機運転時にはポンプ内に空気を流入させる空気抜き管と、
ポンプ揚水管、中間軸受支え、ポンプケーシング、及びケーシングライナ部のうち少なくとも１カ所に設けた、ポンプ内に保持した水を排水するための第１の開口部と
を備えたことを特徴とする先行待機形立軸ポンプ。
【請求項２】
請求項１記載の先行待機形立軸ポンプにおいて、前記第１の開口部に第１の排水管の一端を接続し、該第１の排水管の中間部を前記吸水槽上方の立ち入り可能な中間床部まで立ち上げ、該第１の排水管の他端を前記吸水槽の排水停止水位以下まで没水させたことを特徴とする先行待機形立軸ポンプ。
【請求項３】
請求項２記載の先行待機形立軸ポンプにおいて、前記第１の排水管のうち前記中間床部に立ち上げられた部分に、第１の開閉弁を設けたことを特徴とする先行待機形立軸ポンプ。
【請求項４】
請求項２記載の先行待機形立軸ポンプにおいて、前記中間床部に立ち上げられた前記第１の排水管の一部が、他の部分に対し着脱可能に接続されていることを特徴とする先行待機形立軸ポンプ。
【請求項５】
請求項２記載の先行待機形立軸ポンプにおいて、前記吸水槽上方の立ち入り可能な中間床部に位置する前記揚水管及び前記中間軸受支えの少なくとも一方に、前記第１の開口部よりも大径の第２の開口部を設け、この第２の開口部に第２の排水管の一端を接続するとともにこの第２の排水管の他端を前記吸水槽に接続し、該第２の排水管の中間部のうち前記中間床部に位置する部分に第２の開閉弁を設けたことを特徴とする先行待機形立軸ポンプ。
【請求項６】
ポンプ吸水側を吸水槽内に、吐出側を吐出槽内に設置した先行待機形立軸ポンプにおいて、
ポンプ吐出弁より上流側に設けた送風孔と、
一端がこの送風孔に接続されるとともに、他端が圧縮空気発生手段に接続した送風管と、
この送風管の中間部に設けた第３の開閉弁と、
ポンプ揚水管、中間軸受支え、ポンプケーシング、及びケーシングライナ部のうち少なくとも１カ所に設けた、ポンプ内に保持した水を排水するための第１の開口部と
を備えたことを特徴とする先行待機形立軸ポンプ。
【請求項７】
請求項６記載の先行待機形立軸ポンプにおいて、前記送風孔は、前記ポンプ揚水管及び前記中間軸受支えより上部に位置する吐出しエルボに設けられていることを特徴とする先行待機形立軸ポンプ。
【請求項８】
請求項１又は６記載の先行待機形立軸ポンプにおいて、前記第１の開口部は、ポンプ内壁側孔径が外壁側孔径より小さいテーパ構造となっていることを特徴とする先行待機形立軸ポンプ。
【請求項９】
請求項８記載の先行待機形立軸ポンプにおいて、前記第１の開口部のテーパ部分を、耐食性材料で構成したことを特徴とする先行待機形立軸ポンプ。
【手続補正２】
【補正対象書類名】明細書
【補正対象項目名】０００６
【補正方法】変更
【補正の内容】
【０００６】
【課題を解決するための手段】
上記第１の目的を達成するために、本発明によれば、ポンプ吸水側を吸水槽内に、吐出側を吐出槽内に設置した先行待機形立軸ポンプにおいて、ポンプ吐出弁の前側又は後側に設けた空気抜き孔と、一端がこの空気抜き孔に接続され、他端が前記吐出槽の最高水位よりも上部で大気と連通しており、揚水後の待機運転時にはポンプ内に空気を流入させる空気抜き管と、ポンプ揚水管、中間軸受支え、ポンプケーシング、及びケーシングライナ部のうち少なくとも１カ所に設けた、ポンプ内に保持した水を排水するための第１の開口部とを備えたことを特徴とする先行待機形立軸ポンプが提供される。
これにより、揚水後の待機運転時には、ポンプ吐出弁前後に設けられた空気抜き管から空気が流入しポンプ内が大気に開放されるので、ポンプ内に保持されていた水を、ポンプ揚水管、中間軸受支え、ポンプケーシング、及びケーシングライナ部に設けられた第１の開口部より速やかに排水することができる。


【手続補正３】
【補正対象書類名】明細書
【補正対象項目名】０００７
【補正方法】変更
【補正の内容】
【０００７】
好ましくは、前記先行待機形立軸ポンプにおいて、前記第１の開口部に第１の排水管の一端を接続し、該第１の排水管の中間部を前記吸水槽上方の立ち入り可能な中間床部まで立ち上げ、該第１の排水管の他端を前記吸水槽の排水停止水位以下まで没水させたことを特徴とする先行待機形立軸ポンプが提供される。
すなわち、第１の排水管は、第１の開口部から一旦上方の中間床部まで立ち上がった後に下方の吸水槽に没水されており、全体としてΩ形状となる。これにより、ポンプ内の排水を行う際にこの第１の排水管内が満水となると、第１の排水管がサイフォンを形成することとなる。よってすなわち、第１の開口部をなるべく低い位置に設ける構成を可能としつつ、排水の進展と共にポンプ内の水位が低下してきても排水速度が低下せず、ポンプ内の水の排水を速やかに行うことができる。


【手続補正４】
【補正対象書類名】明細書
【補正対象項目名】００１０
【補正方法】変更
【補正の内容】
【００１０】
また好ましくは、前記先行待機形立軸ポンプにおいて、前記吸水槽上方の立ち入り可能な中間床部に位置する前記揚水管及び前記中間軸受支えの少なくとも一方に、前記第１の開口部よりも大径の第２の開口部を設け、この第２の開口部に第２の排水管の一端を接続するとともにこの第２の排水管の他端を前記吸水槽に接続し、該第２の排水管の中間部のうち前記中間床部に位置する部分に第２の開閉弁を設けたことを特徴とする先行待機形立軸ポンプが提供される。
これにより、例えばポンプ長さが比較的長い場合において、ポンプ内に保持された水のうち所定量までを特に速やかに排水したいときに、大径の第２の開口部→排水管及び第２の開閉弁を介して中間床部高さまでの水を一気に排水し、それ以後は、第１の開口部より引き続きポンプ内の水を排水することができる。


【手続補正５】
【補正対象書類名】明細書
【補正対象項目名】００１１
【補正方法】変更
【補正の内容】
【００１１】
また上記第１の目的を達成するために、本発明によれば、ポンプ吸水側を吸水槽内に、吐出側を吐出槽内に設置した先行待機形立軸ポンプにおいて、ポンプ吐出弁より上流側に設けた送風孔と、一端がこの送風孔に接続されるとともに、他端が圧縮空気発生手段に接続した送風管と、この送風管の中間部に設けた第３の開閉弁と、ポンプ揚水管、中間軸受支え、ポンプケーシング、及びケーシングライナ部のうち少なくとも１カ所に設けた、ポンプ内に保持した水を排水するための第１の開口部とを備えたことを特徴とする先行待機形立軸ポンプが提供される。
これにより、揚水後の待機運転時に、例えば吸水槽水位が排水停止水位以下となったときに第３の開閉弁を開き、圧縮空気発生手段からの圧縮空気を送風管を介しポンプ内に送ることで、ポンプ内の水を強制的に下方へ押し出すので、揚水停止後にポンプ内に保持されていた水を、ポンプ揚水管、中間軸受支え、ポンプケーシング、及びケーシングライナ部に設けられた第１の開口部より速やかに排水することができる。


【手続補正６】
【補正対象書類名】明細書
【補正対象項目名】００１３
【補正方法】変更
【補正の内容】
【００１３】
また好ましくは、上記先行待機形立軸ポンプにおいて、前記第１の開口部は、ポンプ内壁側孔径が外壁側孔径より小さいテーパ構造となっていることを特徴とする先行待機形立軸ポンプが提供される。
これにより、ポンプ運転時、圧力がかかった水がポンプ内壁面からポンプ外壁面へと流れ、第１の開口部に滞留する異物を水圧で排除できる。よって第１の開口部が異物で詰まるのを確実に防止することができる。


【手続補正７】
【補正対象書類名】明細書
【補正対象項目名】００１４
【補正方法】変更
【補正の内容】
【００１４】
さらに好ましくは、前記先行待機形立軸ポンプにおいて、前記第１の開口部のテーパ部分を、耐食性材料で構成したことを特徴とする先行待機形立軸ポンプが提供される。


【手続補正８】
【補正対象書類名】明細書
【補正対象項目名】００１５
【補正方法】変更
【補正の内容】
【００１５】
【発明の実施の形態】
以下、本発明の実施形態を図面を参照しつつ説明する。
本実施形態による先行待機形立軸ポンプの全体構造を表す一部破断側面図を図１に示す。
図１に示す立軸ポンプは、吸水側を吸水槽５０内にまた吐出側を吐出槽６０内に設け軸線をほぼ垂直にして配置されており、羽根車１を内装するケーシングライナ２と、ケーシングライナ２の下端（羽根車１の吸込み側端部）に結合されたサクションケーシング１７と、このサクションケーシング１７に設けられた吸気孔１８に一端を接続し、他端を大気に連通させた吸気管１３と、サクションケーシング１７の下端に結合された吸込みベルマウス３と、ケーシングライナ２の上端（羽根車１の吐出側端部）に一端を結合されたケーシング４と、このケーシング４の上端に接続された揚水管５と、この揚水管５に下端を接続した中間軸受支え９と、揚水管５及び中間軸受支え９に下端を結合された吐出エルボ６と、この吐出エルボ６に吐出弁８を介して接続された吐出管７と、この吐出管７の最高部の吐出弁８の後部下流側に設けられた空気抜き孔１５に一端が接続され他端に開口部１９を備えた空気抜き管１６と、吐出管７の吐出槽６０側に設置された逆流防止弁１４と、揚水管５及び中間軸受支え９にそれぞれ形成された第１の開口部、例えば開口部１０とで構成されている。


【手続補正９】
【補正対象書類名】明細書
【補正対象項目名】００１６
【補正方法】変更
【補正の内容】
【００１６】
揚水管５は、据付金具２５を介して据付基礎に固定されており、ケーシング４、ケーシングライナ２、サクションケーシング１７、吸込みベルマウス３は揚水管５を介して据付基礎に支持されている。
吐出エルボ６は、９０度に曲がっており、吐出弁８は軸線をほぼ水平に配置されている。そして吐出管７は水平に吐出槽６０へと接続され、逆流防止弁１４は吐出槽６０内に配置されている。また、空気抜き管１６の開口部１９は、吐出槽６０の計画最高水位ＨＷＬより上方に位置し、その位置で大気に連通している。


【手続補正１０】
【補正対象書類名】明細書
【補正対象項目名】００２７
【補正方法】変更
【補正の内容】
【００２７】
本実施形態によっても、第１の実施形態と同様の効果を得る。
すなわち、揚水後の待機運転時に、例えば吸水槽水位が排水停止水位ＬＷＬ以下となったときに電動弁４２０を開き、圧縮空気発生手段からの圧縮空気を送風管４２３を介しポンプ内に送ることで、ポンプ内の水を強制的に下方へ押し出すので、揚水停止後にポンプ内に保持されていた水を、ポンプ揚水管５及び中間軸受支え９に設けられた開口部１０より速やかにポンプ外へ排水することができる。なお、このときの圧縮空気の圧力・風量は、ポンプ吐出側に取り付けられた逆流防止弁１４が開かないように調整し、送り込んだ空気が吐出槽６０側にもれないようにすることが好ましい。また、通常のポンプ運転時には電動弁４２０を閉じることによって、ポンプ運転を行うことができる。


【手続補正１１】
【補正対象書類名】明細書
【補正対象項目名】００４０
【補正方法】変更
【補正の内容】
【００４０】
【発明の効果】
本発明によれば、ポンプ内に保持されていた水を第１の開口部より速やかに排水することができる。したがって、この待機運転時における軸動力を低減し、経済性を向上することができる。また、羽根車によるポンプ内に保持された水の攪拌が早期に解消されるので、水温の上昇を抑えることができ、軸受部材への悪影響をなくすことができる。なお、第１の開口部をポンプケーシングまたはケーシングライナに設ける場合は、ポンプ揚水管又は中間軸受支えに第１の開口部を設ける場合に比し、より低い位置までポンプ内の水を排水できる効果がある。